(57)【要約】【課題】本発明は、光源ユニットおよび照明器具に関し、照明器具の短手方向および長手方向においてグレアを抑制できる光源ユニットおよび照明器具を得ることを目的とする。【解決手段】本発明に係る光源ユニットは、基板と、該基板の第１面に設けられた光源と、該第１面と対向するように設けられた下面プリズム部と、を備え、該下面プリズム部は、該第１面と反対側に突出し第１斜面を提供する複数の第１凸部を有する。【選択図】図３
2018147876.tif 000002
【特許請求の範囲】
【請求項１】
基板と、
前記基板の第１面に設けられた光源と、
前記第１面と対向するように設けられた下面プリズム部と、
を備え、
前記下面プリズム部は、前記第１面と反対側に突出し第１斜面を提供する複数の第１凸部を有することを特徴とする光源ユニット。
【請求項２】
前記複数の第１凸部の各々は、前記基板の短手方向に沿った断面視において三角形であることを特徴とする請求項１に記載の光源ユニット。
【請求項３】
前記基板の短手方向に沿った断面視において、前記第１斜面と、前記下面プリズム部の光入射面との間の角度は５°〜４０°であることを特徴とする請求項１または２に記載の光源ユニット。
【請求項４】
前記光源の光出射方向に設けられたカバーを備え、
前記下面プリズム部は前記カバーの一部であることを特徴とする請求項１〜３の何れか１項に記載の光源ユニット。
【請求項５】
前記光源の光出射方向に設けられたカバーを備え、
前記下面プリズム部は、前記カバーと前記光源との間に設けられることを特徴とする請求項１〜３の何れか１項に記載の光源ユニット。
【請求項６】
前記カバーは、前記下面プリズム部と一体となっていることを特徴とする請求項５に記載の光源ユニット。
【請求項７】
前記カバーは、前記光源の両側にそれぞれ設けられた側面プリズム部を備え、
前記側面プリズム部は、前記カバーの内側に向かって突出し第２斜面を提供する複数の第２凸部を有することを特徴とする請求項４〜６の何れか１項に記載の光源ユニット。
【請求項８】
前記複数の第２凸部の各々は、前記基板の短手方向に沿った断面視において三角形であることを特徴とする請求項７に記載の光源ユニット。
【請求項９】
前記基板の短手方向に沿った断面視において、前記第２斜面と、前記側面プリズム部の光出射面との間の角度は０°〜９０°であることを特徴とする請求項７または８に記載の光源ユニット。
【請求項１０】
前記カバーは、前記光源の両側にそれぞれ設けられた側面プリズム部を備え、
前記側面プリズム部は、前記カバーの外側に向かって突出し第２斜面を提供する複数の第２凸部を有することを特徴とする請求項４〜６の何れか１項に記載の光源ユニット。
【請求項１１】
前記下面プリズム部と前記光源との間において、前記カバーに沿って設けられた拡散カバーを備えることを特徴とする請求項４〜１０の何れか１項に記載の光源ユニット。
【請求項１２】
前記拡散カバーは、前記第１面と対向する底部と、前記底部の両側にそれぞれ設けられ、前記第１面側に伸びる側部と、を有し、
前記底部と前記側部は、異なる拡散性を有することを特徴とする請求項１１に記載の光源ユニット。
【請求項１３】
前記カバーは、短手方向に沿った断面形状が一定であることを特徴とする請求項４〜１２の何れか１項に記載の光源ユニット。
【請求項１４】
基板と、
前記基板の第１面に設けられた光源と、
前記光源の光出射方向に設けられたカバーと、
前記カバーの一部であり、前記光源の両側にそれぞれ設けられた側面プリズム部と、
を備え、
前記側面プリズム部は、前記カバーの内側に向かって突出し第２斜面を提供する複数の第２凸部を有することを特徴とする光源ユニット。
【請求項１５】
前記複数の第２凸部の各々は、前記基板の短手方向に沿った断面視において三角形であることを特徴とする請求項１４に記載の光源ユニット。
【請求項１６】
前記基板の短手方向に沿った断面視において、前記第２斜面と、前記側面プリズム部の光出射面との間の角度は０°〜９０°であることを特徴とする請求項１５に記載の光源ユニット。
【請求項１７】
前記カバーの一部であり、前記第１面と対向するように設けられた下面プリズム部をさらに備え、
前記下面プリズム部は、前記カバーの内側に向かって突出し第１斜面を提供する複数の第１凸部を有することを特徴とする請求項１４〜１６の何れか１項に記載の光源ユニット。
【請求項１８】
基板と、
前記基板の第１面に設けられた光源と、
前記光源の光出射方向に設けられたカバーと、
前記カバーの一部であり、前記第１面と対向するように設けられた下面プリズム部と、
前記カバーの一部であり、前記光源の両側にそれぞれ設けられた側面プリズム部と、
を備え、
前記下面プリズム部は、前記カバーの内側に向かって突出し第１斜面を提供する複数の第１凸部を有し、
前記側面プリズム部は、前記カバーの外側に向かって突出し第２斜面を提供する複数の第２凸部を有することを特徴とする光源ユニット。
【請求項１９】
前記カバーと前記光源との間に設けられた拡散カバーをさらに備え、
前記カバーには、前記拡散カバーの両端を囲む凹部が設けられることを特徴とする請求項４〜１８の何れか１項に記載の光源ユニット。
【請求項２０】
前記カバーの一部であり、前記光源の両側にそれぞれ設けられた側面プリズム部をさらに備え、
前記凹部は、前記側面プリズム部よりも上方に設けられることを特徴とする請求項１９に記載の光源ユニット。
【請求項２１】
前記基板が設けられたベースをさらに備え、
前記カバーは、
前記光源の両側にそれぞれ設けられたカバー側部と、
前記ベースを前記基板の両側でそれぞれ保持する取り付け部と、
前記カバー側部から前記カバーの内側に向かって屈曲し、前記カバー側部と前記取り付け部とをそれぞれ繋ぐカバー固定部と、
を有し、
前記凹部は、前記取り付け部と前記カバー固定部とを備えることを特徴とする請求項１９または２０に記載の光源ユニット。
【請求項２２】
前記取り付け部は、前記カバー固定部から上下に分岐し、
前記拡散カバーの両端は、前記取り付け部のうち前記カバー固定部から下方に分岐した部分と、前記カバー固定部と、に挟まれることを特徴とする請求項２１に記載の光源ユニット。
【請求項２３】
前記拡散カバーは、
前記第１面と対向する底部と、
前記底部の両側から前記取り付け部に向かってそれぞれ伸びる側部と、
前記側部の前記取り付け部側の端部から前記拡散カバーの外側に向かってそれぞれ屈曲し、前記凹部に囲まれる固定部と、
を有することを特徴とする請求項２１または２２に記載の光源ユニット。
【請求項２４】
前記拡散カバーは弧状であることを特徴とする請求項２１または２２に記載の光源ユニット。
【請求項２５】
前記拡散カバーは、
弧状の湾曲部と、
前記湾曲部の両端から前記拡散カバーの外側に向かってそれぞれ屈曲し、前記凹部に囲まれる固定部と、
を有することを特徴とする請求項２１または２２に記載の光源ユニット。
【請求項２６】
前記カバー固定部には、前記カバーの内側に向かって突出し前記固定部が引っかかる第３凸部が設けられることを特徴とする請求項２５に記載の光源ユニット。
【請求項２７】
請求項１〜２６の何れか１項に記載の光源ユニットと、
前記光源を点灯させる点灯装置を備えた器具本体部と、
を備えることを特徴とする照明器具。
【発明の詳細な説明】
【技術分野】
【０００１】
本発明は、光源ユニットおよび照明器具に関する。
【背景技術】
【０００２】
一般に、照明器具の水平面から３０度までの範囲は、グレアゾーンと呼ばれる。グレアゾーンに輝度の高い光源があると、一般に使用者はまぶしさを感じ易い。不快なまぶしさを防止するため、照明器具において配光角６０°〜９０°の範囲の光を抑制することが求められる場合がある。これについて、特許文献１には、配光を制御できる照明器具が開示されている。
【先行技術文献】
【特許文献】
【０００３】
【特許文献１】特開２０１５−１６２４４５号公報
【発明の概要】
【発明が解決しようとする課題】
【０００４】
しかし、特許文献１の照明器具では、照明器具の短手方向のグレア制御しかできない。また、照明器具において、ルーバーを用いて配光を制御することが考えられる。この場合、器具のサイズが大きくなる可能性がある。
【０００５】
本発明は、上述の課題を解決するためになされたもので、照明器具の短手方向および長手方向においてグレアを抑制できる光源ユニットおよび照明器具を得ることを目的とする。
【課題を解決するための手段】
【０００６】
本発明に係る光源ユニットは、基板と、該基板の第１面に設けられた光源と、該第１面と対向するように設けられた下面プリズム部と、を備え、該下面プリズム部は、該第１面と反対側に突出し第１斜面を提供する複数の第１凸部を有する。
【０００７】
本発明に係る光源ユニットは、基板と、前記基板の第１面に設けられた光源と、前記光源の光出射方向に設けられたカバーと、前記カバーの一部であり、前記光源の両側にそれぞれ設けられた側面プリズム部と、を備え、前記側面プリズム部は、前記カバーの内側に向かって突出し第２斜面を提供する複数の第２凸部を有する。
【０００８】
本発明に係る光源ユニットは、基板と、前記基板の第１面に設けられた光源と、前記光源の光出射方向に設けられたカバーと、前記カバーの一部であり、前記第１面と対向するように設けられた下面プリズム部と、前記カバーの一部であり、前記光源の両側にそれぞれ設けられた側面プリズム部と、を備え、前記下面プリズム部は、前記カバーの内側に向かって突出し第１斜面を提供する複数の第１凸部を有し、前記側面プリズム部は、前記カバーの外側に向かって突出し第２斜面を提供する複数の第２凸部を有する。
【発明の効果】
【０００９】
本発明に係る光源ユニットでは、複数の第１凸部により配光が制御される。これにより、照明器具の短手方向および長手方向においてグレアを抑制できる。
本発明に係る光源ユニットでは、複数の第２凸部により配光が制御される。これにより、照明器具の短手方向および長手方向においてグレアを抑制できる。
本発明に係る光源ユニットでは、複数の第１凸部と複数の第２凸部により配光が制御される。これにより、照明器具の短手方向および長手方向においてグレアを抑制できる。
【図面の簡単な説明】
【００１０】
【図１】実施の形態１に係る照明器具の斜視図である。
【図２】実施の形態１に係る照明器具の分解斜視図である。
【図３】実施の形態１に係る光源ユニットの断面図である。
【図４】実施の形態１に係るカバーの斜視図である。
【図５】実施の形態１に係る下面プリズム部の拡大図である。
【図６】実施の形態１に係る側面プリズム部の拡大図である。
【図７】下面プリズム部を通る光線のＡ方向の経路図である。
【図８】下面プリズム部を通る光線のＡ方向およびＢ方向の経路図である。
【図９】側面プリズム部を通る光線のＡ方向の経路図である。
【図１０】実施の形態１に係る照明器具の配光分布図である。
【図１１】実施の形態２に係る光源ユニットの断面図である。
【図１２】実施の形態３に係る光源ユニットの断面図である。
【図１３】実施の形態３に係る凹部の拡大図である。
【図１４】実施の形態３に係る脚部の拡大図である。
【図１５】実施の形態４に係る光源ユニットの断面図である。
【図１６】実施の形態５に係る光源ユニットの断面図である。
【図１７】実施の形態５に係る凹部の拡大図である。
【図１８】実施の形態５の第１の変形例に係るカバーの斜視図である。
【図１９】実施の形態５の第２の変形例に係るカバーの斜視図である。
【図２０】実施の形態５の第３の変形例に係るカバーの斜視図である。
【発明を実施するための形態】
【００１１】
本発明の実施の形態に係る光源ユニットおよび照明器具について図面を参照して説明する。同じ又は対応する構成要素には同じ符号を付し、説明の繰り返しを省略する場合がある。
【００１２】
実施の形態１．
図１は、実施の形態１に係る照明器具１の斜視図である。図２は、実施の形態１に係る照明器具１の分解斜視図である。照明器具１は、器具本体部１０１と、器具本体部１０１に取り付けられた光源ユニット１００を備える。器具本体部１０１は天井などに取り付けられる。器具本体部１０１は、点灯装置を備える。また、光源ユニット１００が点灯装置を備えても良い。点灯装置は、光源ユニット１００が備える光源を点灯させる。
【００１３】
図３は、実施の形態１に係る光源ユニット１００の断面図である。図３は、光源ユニット１００の短手方向の断面図である。光源ユニット１００はベース１０を備える。ベース１０は照明器具１の長手方向に沿って伸びる。ベース１０にはＬＥＤモジュール２０が設けられる。ＬＥＤモジュール２０は基板２２と、複数の光源２１を備える。ＬＥＤモジュール２０が備える光源２１の数は１つ以上であればよい。
【００１４】
複数の光源２１は基板２２の第１面２８に設けられる。光源２１はＬＥＤである。複数の光源２１は、基板２２の長手方向に沿って並べて設けられる。基板２２の長手方向は、照明器具１の長手方向と平行である。
【００１５】
ベース１０の短手方向の両側は、取り付け部３３に保持されている。取り付け部３３は、ベース１０の基板２２が設けられた領域よりも外側を保持する。光源ユニット１００は、器具本体部１０１に備えられたバネ９１を光源ユニット１００の引っかけ部９２に引っかけることで、器具本体部１０１に取り付けられる。
【００１６】
光源ユニット１００は、拡散カバー４０を備える。拡散カバー４０は、光源２１が発する光を拡散させる。拡散カバー４０は、光源２１の出光面側を覆うように設けられる。拡散カバー４０は、基板２２の第１面２８と対向する底部４１を有する。また、拡散カバー４０は、底部４１の両側にそれぞれ設けられ、ベース１０に向かって伸びる側部４２を有する。側部４２の底部４１と反対側の端からは、光源ユニット１００の内側に向かって固定部４３が伸びる。固定部４３は、取り付け部３３に保持される。これにより、拡散カバー４０は、取り付け部３３に保持される。固定部４３は取り付け部３３の係合部に引っかかる。これにより、固定部４３は、拡散カバー４０がカバー底部３８側へ移動することを規制する。取り付け部３３の構造は、図３に示されるものに限らず、ベース１０および拡散カバー４０を保持できれば良い。また、取り付け部３３と拡散カバー４０は、２色成形にて一体となっていても良い。さらに、取り付け部３３と拡散カバー４０は、互いに接着されていても良い。
【００１７】
光源ユニット１００は、光源２１の光出射方向に設けられたカバー３０を備える。本実施の形態では、カバー３０は透明である。ここで、カバー３０は透明ではなくても良く、光を透過させればよい。カバー３０は、ＬＥＤモジュール２０を覆うように設けられる。また、カバー３０は、拡散カバー４０よりも外側において、光源２１の出光面側を覆うように設けられる。カバー３０は、拡散カバー４０を覆うように設けられても良い。拡散カバー４０は、カバー３０に添うように設けられている。
【００１８】
カバー３０は、第１面２８と対向するカバー底部３８を有する。カバー底部３８は、第１面２８と平行である。カバー底部３８の両側には、カバー側部３９がそれぞれ設けられている。カバー側部３９は、基板２２側に伸びる。カバー側部３９のカバー底部３８と反対側の端からは、カバー３０の内側に向かってカバー固定部３７が伸びる。カバー固定部３７と、取り付け部３３は２色成形にて一体となっている。これに限らず、カバー固定部３７が取り付け部３３によって保持される構造でも良い。
【００１９】
カバー底部３８には、下面プリズム部３１が設けられる。下面プリズム部３１はカバー３０の一部である。下面プリズム部３１は、第１面２８と対向するように設けられる。下面プリズム部３１は、第１面２８と反対側に突出した複数の第１凸部６１を有する。また、カバー側部３９には、側面プリズム部３２が設けられる。側面プリズム部３２は、カバー３０の一部である。側面プリズム部３２は、光源２１の両側にそれぞれ設けられる。側面プリズム部３２は、カバー３０の内側に向かって突出した複数の第２凸部６２を有する。
【００２０】
図４は、実施の形態１に係るカバー３０の斜視図である。図４において、取り付け部３３は省略されている。カバー３０は、照明器具１の長手方向に沿って伸びる。カバー３０の長手方向は、照明器具１の長手方向と平行である。カバー３０は、短手方向の断面形状が一定である押出構造を有する。このため、複数の第１凸部６１および複数の第２凸部６２はカバー３０の長手方向に連なっている。カバー３０は、押出成形によって製造されてもよい。カバー３０の長手方向は、押出成形における押出方向である。
【００２１】
図５は、実施の形態１に係る下面プリズム部３１の拡大図である。複数の第１凸部６１の各々は、第１斜面６３を提供する。第１斜面６３は、第１凸部６１の側面である。複数の第１凸部６１の各々は、基板２２の短手方向に沿った断面視において三角形である。下面プリズム部３１の光入射面６５には、光が入射する。また、下面プリズム部３１に入射した光の一部は、第１斜面６３から出射される。
【００２２】
基板２２の短手方向に沿った断面視において、第１斜面６３と、下面プリズム部３１の光入射面６５との間の角度θ１ａ、θ１ｂは５°〜４０°である。角度θ１ａ、θ１ｂは、下面プリズム部３１を形成する透明材料の屈折率または目標配光に応じて調整される。本実施の形態では、角度θ１ａと角度θ１ｂは等しい。このため、複数の第１凸部６１の各々は、基板２２の短手方向に沿った断面視において二等辺三角形である。角度θ１ａと角度θ１ｂは異なる角度でも良い。また、角度θ１ａと角度θ１ｂは、カバー３０の中心から外側に向かって、段階的に変化しても良い。例えば、角度θ１ａと角度θ１ｂは、カバー３０の中心から離れるほど、大きくまたは小さくなっても良い。
【００２３】
図６は、実施の形態１に係る側面プリズム部３２の拡大図である。複数の第２凸部６２の各々は、第２斜面６４を提供する。第２斜面６４は、第２凸部６２の側面である。複数の第２凸部６２の各々は、基板２２の短手方向に沿った断面視において三角形である。側面プリズム部３２の第２斜面６４には、光が入射する。また、側面プリズム部３２に入射した光の一部は、光出射面６６から出射される。
【００２４】
基板２２の短手方向に沿った断面視において、第２斜面６４と、側面プリズム部３２の光出射面６６との間の角度θ２ａ、θ２ｂは０°〜９０°である。角度θ２ａ、θ２ｂは、側面プリズム部３２を形成する透明材料の屈折率または目標配光に応じて調整される。本実施の形態では、角度θ２ａと角度θ２ｂは異なる角度であるが、等しくても良い。角度θ２ａと角度θ２ｂは、下から上に向かって、段階的に変化しても良い。
【００２５】
次に、下面プリズム部３１による光制御について説明する。図７は、下面プリズム部３１を通る光線のＡ方向の経路図である。ここで、Ａ方向は基板２２の短手方向である。下面プリズム部３１への入射光５０は、光入射面６５において屈折する。このとき、下面プリズム部３１の内部に透過した光は、光入射面６５に垂直な角度から全反射角θａの範囲にしか進行しない。このため、下面プリズム部３１の内部において、光は特定の角度範囲にしぼられる。
【００２６】
下面プリズム部３１の内部に透過した光は、第１斜面６３に到達する。第１斜面６３に到達した光の一部は第１斜面６３から出射される。ここで、第１斜面６３は光入射面６５に対して角度θ１ａ、θ１ｂだけ傾斜している。このとき、第１斜面６３からの出射光５２は、遮光角θｂ、θｃを有する光となる。つまり、出射光５２は、光入射面６５に対して遮光角θｂ、θｃの範囲には出射されない。また、第１斜面６３に到達した光の一部は反射光５１となり、カバー３０の内側に戻される。
【００２７】
以上から、下面プリズム部３１からの出射光５２は特定の遮光角θｂ、θｃを持った光となる。本実施の形態では下面プリズム部３１がプリズムレンズとして機能する。遮光角θｂ、θｃは角度θ１ａ、θ１ｂに依存する。このため、角度θ１ａ、θ１ｂを調節することで、Ａ方向において配光角６０°〜９０°に出射される光を抑制できる。ここで、配光角は照明器具１の水平面に対して垂直な方向からの角度である。照明器具１の水平面は、基板２２の第１面２８と平行な面である。従って、照明器具１の短手方向において、グレア光を抑制できる。
【００２８】
図８は、下面プリズム部３１を通る光線のＡ方向およびＢ方向の経路図である。ここで、Ｂ方向は、基板２２の長手方向である。図８は、下面プリズム部３１に入射光５３が入射した場合の光線の経路を、Ａ方向およびＢ方向から見た状態を示している。入射光５３において、Ａ方向のベクトルは一定である。また、基板２２の長手方向に沿った断面視において入射光５３の入射角が０°〜９０°となるように、入射光５３のＢ方向のベクトルは設定されている。
【００２９】
下面プリズム部３１への入射光５３は、光入射面６５において屈折する。ここで、入射光５３においてＡ方向のベクトルが一定であっても、入射光５３のＢ方向のベクトルに応じて光入射面６５を透過した屈折光のＡ方向のベクトルが変化する。本実施の形態では、入射光５３のＢ方向のベクトルが大きくなるほど、基板２２の短手方向において、第１斜面６３と光の成す角が小さくなる。
【００３０】
このため、基板２２の長手方向に沿った断面視における入射光５３の入射角が一定以上の場合、光は第１斜面６３で全反射され反射光５４となる。反射光５４は、カバー３０の内側に戻される。このとき、基板２２の長手方向に沿った断面視において、第１斜面６３からの出射光５５は、光入射面６５に対して遮光角θｄの範囲には出射されない。
【００３１】
以上から、下面プリズム部３１からの出射光５５は特定の遮光角θｄを持った光となる。遮光角θｄは角度θ１ａ、θ１ｂに依存する。従って、角度θ１ａ、θ１ｂを調節することで、Ｂ方向において配光角６０°〜９０°に出射される光を抑制できる。従って、照明器具１の長手方向においても、グレア光を抑制できる。本実施の形態では、材料が透明のポリカーボネートの場合、角度θ１ａ、θ１ｂを例えば３３°とすることで、グレアカット角を約６０°に設定できる。これに対し、角度θ１ａ、θ１ｂを５°〜４０°の範囲で調整し、グレアカット角を例えば、６５°、７０°または７５°等に設定しても良い。
【００３２】
次に、側面プリズム部３２による光制御について説明する。図９は、側面プリズム部３２を通る光線のＡ方向の経路図である。側面プリズム部３２に入射した光は、第２斜面６４の傾きによって上方および下方に向かって屈折する。このため、側面プリズム部３２から出射される出射光５７、５８は、上方と下方に分かれる。このとき、光出射面６６と垂直な角度を中心とする遮光角θｅの範囲には光が出射されない。以上から、側面プリズム部３２によって、Ａ方向の光はバットウィング制御される。
【００３３】
側面プリズム部３２から出射される出射光５７、５８のうち、上方に出射される出射光５７は、上方光束である。本実施の形態では、出射光５７は天井に向かう光である。角度θ２ｂが角度θ２ａに対して大きい程、上方光束の配分が増える。角度θ２ａが角度θ２ｂに対して大きい程、下方光束の配分が増える。また、角度θ２ａと角度θ２ｂを大きくするほど、遮光角θｅが大きくなる。なお本実施の形態では、側面プリズム部３２からＢ方向の光は出射されない。
【００３４】
図１０は、実施の形態１に係る照明器具１の配光分布図である。図１０は、本実施の形態に係る照明器具１で得られる配光の一例である。図１０において、横軸は配光角を示し、縦軸は光度を示す。実線は、本実施の形態に係る照明器具１のＡ方向の配光を示す。破線は、本実施の形態に係る照明器具１のＢ方向の配光を示す。点線は、比較例に係るランバート配光を示す。ランバート配光は、発光面の輝度が見る方向によらず一定となる配光である。
【００３５】
一点鎖線枠８２に示されるように、Ａ方向において配光角が６０°〜９０°の範囲で照明器具１の光度が低下する。このため、Ａ方向においてグレアが抑制される。また、一点鎖線枠８１に示されるように、Ａ方向において配光角が９０°を越えると照明器具１の光度が上昇する。これは上方光束である出射光５７によるものである。上方光束によって、天井面の輝度を高めることができる。
【００３６】
また、一点鎖線枠８２に示されるように、Ｂ方向において、配光角が６０°〜９０°の範囲で照明器具１の光度が低い。このため、Ｂ方向においてもグレアが抑制される。以上から、本実施の形態では、カバー３０によって、照明器具１の短手方向および長手方向において、グレア光を抑制できる。さらに、照明器具１の短手方向において、上方光束を得ることができる。
【００３７】
また、拡散カバー４０は光源２１が発する光を拡散させる。拡散カバー４０は、下面プリズム部３１と光源２１との間において、カバー３０に沿って設けられる。このため、光源２１と拡散カバー４０の距離を大きく確保できる。これにより、複数の光源２１が発する光を拡散カバー４０において一体化できる。従って、発光面の輝度のムラを抑制できる。さらに、光源２１と拡散カバー４０の距離を大きくすることで、照明器具１の発光面を大きくできる。また、光源２１からの光の分光または色ムラを防ぐことができる。また、拡散カバー４０の底部４１と側部４２は、異なる拡散性を有しても良い。つまり、底部４１と側部４２は、２色成形で拡散材の濃さを変えても良い。これにより、カバー底部３８とカバー側部３９の輝度のバランスを調節できる。また、上方光束の調節もできる。
【００３８】
本実施の形態では、第１凸部６１および第２凸部６２は断面視において三角形であるものとした。この変形例として、第１凸部６１および第２凸部６２は頂点部分に曲面を有しても良い。例えば、第１凸部６１および第２凸部６２は、基板２２の短手方向に沿った断面視において波型であっても良い。
【００３９】
また、本実施の形態では、第１凸部６１および第２凸部６２はカバー３０の長手方向に連なっているものとした。この変形例として、第１凸部６１および第２凸部６２は、カバー３０の長手方向において途切れていても良い。また、本実施の形態において第１凸部６１および第２凸部６２は、基板２２の短手方向に沿った断面視において三角形であるものとした。この変形例として、第１凸部６１および第２凸部６２は、基板２２の長手方向に沿った断面視において三角形であってもよい。この場合、第１凸部６１および第２凸部６２はカバー３０の短手方向に連なっている。
【００４０】
また、本実施の形態ではカバー３０は透明であるものとした。この変形例として、下面プリズム部３１および側面プリズム部３２のみを透明材料で形成しても良い。また、カバー３０の下面プリズム部３１および側面プリズム部３２以外の部分を高反射材料で形成しても良い。高反射材料は、例えば白色の材料である。例えば、ベース１０との接続部であるカバー固定部３７および取り付け部３３を白色材料で形成することで、カバー３０の内部での反射効率を高めることができる。このため、反射光を効率よく下面プリズム部３１または側面プリズム部３２に戻すことができる。また、下面プリズム部３１および側面プリズム部３２を薄い拡散材料で形成しても良い。この場合、拡散カバー４０は備えなくても良い。
【００４１】
また、本実施の形態では、カバー底部３８とカバー側部３９は垂直である。この変形例として、カバー側部３９はカバー底部３８と垂直な方向から傾いていても良い。また、本実施の形態では、カバー底部３８の基板２２の第１面２８と対向する面は平面である。つまり、光入射面６５は平面である。これに対し、カバー底部３８は湾曲していても良い。また、本実施の形態では、光入射面６５と基板２２の第１面２８は平行である。これに対し、光入射面６５は第１面２８に対して傾斜していても良い。
【００４２】
また、上方光束が必要ない場合は、側面プリズム部３２を平面とし、白色の反射材で形成しても良い。このとき、角度θ２ｂおよび角度θ２ａは０°である。この場合、取り付け部３３、カバー固定部３７および側面プリズム部３２を一体成形しても良い。また、この場合、拡散カバー４０の側部４２は無くても良い。このとき、拡散カバー４０は平板状となる。さらに、側面プリズム部３２の内側部分に平板状の拡散カバー４０を保持する保持部を設けても良い。このとき、側面プリズム部３２と下面プリズム部３１は２色成形で一体化され設けられても良い。
【００４３】
これらの変形は以下の実施の形態に係る光源ユニットおよび照明器具について適宜応用することができる。なお、以下の実施の形態に係る光源ユニットおよび照明器具については実施の形態１との共通点が多いので、実施の形態１との相違点を中心に説明する。
【００４４】
実施の形態２．
図１１は、実施の形態２に係る光源ユニット２００の断面図である。本実施の形態では、カバー２３０の構造が実施の形態１と異なる。また、光源ユニット２００は、カバー底部２３８と光源２１との間に下面プリズム部２３１を備える。
【００４５】
カバー２３０はカバー底部２３８とカバー側部３９を備える。カバー底部２３８の上面および裏面は、平面である。下面プリズム部２３１は、基板２２の第１面２８と反対側に突出した複数の第１凸部６１を有する。カバー２３０および下面プリズム部２３１は、短手方向の断面形状が一定である押出構造を有する。
【００４６】
また、光源ユニット２００は、拡散カバー２４０を備える。拡散カバー２４０は、下面プリズム部２３１に向かって突出した脚部２４５を備える。脚部２４５によって、拡散カバー２４０の底部４１と下面プリズム部２３１との距離を調節できる。ここで、拡散カバー２４０の底部４１と下面プリズム部２３１との距離は、下面プリズム部２３１がプリズムレンズとして機能する程度に調整される。
【００４７】
本実施の形態では、下面プリズム部２３１とカバー２３０が分離されている。これにより、カバー２３０の外面を全て平面で形成できる。従って、照明器具１のメンテナンスを容易にできる。
【００４８】
実施の形態３．
図１２は、実施の形態３に係る光源ユニット６００の断面図である。図１２は、光源ユニット６００の短手方向の断面図である。光源ユニット６００は、カバー６３０を備える。カバー６３０は、カバー底部６３８と、光源２１の両側にそれぞれ設けられた複数のカバー側部３９とを有する。カバー底部６３８は、基板２２の長手方向から見て全体が湾曲している。すなわち、カバー底部６３８は光源２１と離れる方向に突出した曲面を形成する。カバー底部６３８の中央部が端部に対して、第１面２８と垂直な方向に突出する長さは、カバー底部６３８の厚さより小さい。
【００４９】
また、カバー６３０は、ベース１０を基板２２の両側でそれぞれ保持する複数の取り付け部６３３を備える。さらに、カバー６３０は、複数のカバー側部３９からカバー６３０の内側に向かってそれぞれ屈曲する複数のカバー固定部６３７を有する。複数のカバー固定部６３７は、カバー側部３９と取り付け部６３３とをそれぞれ繋ぐ。各々の取り付け部６３３は、カバー固定部６３７から上下に分岐する。取り付け部６３３のうちカバー固定部６３７から上方に突出した部分と下方に突出した部分との間に、ベース１０が嵌め込まれる。カバー底部６３８、複数のカバー側部３９、複数のカバー固定部６３７および複数の取り付け部６３３は一体化されている。
【００５０】
光源ユニット６００は、カバー６３０と光源２１との間に設けられた拡散カバー６４０をさらに備える。拡散カバー６４０は、第１面２８と対向する底部６４１と、底部６４１の両側から複数の取り付け部６３３に向かってそれぞれ伸びる複数の側部４２とを備える。さらに、拡散カバー６４０は、複数の側部４２の取り付け部６３３側の端部から拡散カバー６４０の外側に向かってそれぞれ屈曲する複数の固定部６４３を備える。
【００５１】
拡散カバー６４０の底部６４１は、基板２２の長手方向から見て全体が湾曲している。底部６４１は、カバー底部６３８と底部６４１との距離が略揃うように湾曲している。底部６４１は光源２１と離れる方向に突出した曲面である。底部６４１の中央部が端部に対して、第１面２８と垂直な方向に突出する長さは、底部６４１の厚さより小さい。
【００５２】
図１３は、実施の形態３に係る凹部６４４の拡大図である。カバー６３０には複数の凹部６４４が設けられる。各々の凹部６４４は、側面プリズム部３２よりも上方に設けられる。凹部６４４は、取り付け部６３３とカバー固定部６３７とを備える。つまり、カバー６３０には、取り付け部６３３と、カバー固定部６３７と、カバー側部３９の側面プリズム部３２が形成されていない部分とで覆われた捕捉空間が形成される。
【００５３】
複数の凹部６４４は拡散カバー６４０の両端をそれぞれ囲む。つまり、複数の固定部６４３は凹部６４４にそれぞれ囲まれる。各々の固定部６４３は、側部４２の底部６４１と反対側の端から、カバー固定部６３７に向かって延びる。拡散カバー６４０の両端は、取り付け部６３３のうちカバー固定部６３７から下方に分岐した部分と、カバー固定部６３７とにそれぞれ挟まれる。つまり、本実施の形態では、固定部６４３は捕捉空間に捕捉される。
【００５４】
これにより、基板２２の短手方向における拡散カバー６４０の移動を規制できる。特に、取り付け部６３３はカバー固定部６３７から下方に突出するため、拡散カバー６４０の移動をさらに規制し易くなる。また、複数の固定部６４３が複数の側部４２から拡散カバー６４０の外側に向かってそれぞれ延びるため、各々の側部４２と側面プリズム部３２との距離を確保できる。従って、側部４２と側面プリズム部３２との距離を、側面プリズム部３２がプリズムレンズとして機能する程度に調整できる。
【００５５】
また、カバー固定部６３７は滑らかに屈曲している。カバー固定部６３７はカバー側部３９に対して傾いた傾斜面を有する。これにより、取り付け部６３３とカバー側部３９とが滑らかに接続される。このため、カバー６３０を製造または成形する際、あるいは、光源ユニット６００を組み立てる際に、カバー固定部６３７に応力が集中することを防止できる。
【００５６】
本実施の形態では、取り付け部６３３は、遮光性を有し高反射性を有する材料を用いて形成される。また、カバー固定部６３７と、カバー側部３９のうち側面プリズム部３２が形成されていない部分とは、遮光性を有し高反射性を有する材料を用いて形成されている。
【００５７】
図１４は、実施の形態３に係る脚部６４５の拡大図である。底部６４１の短手方向の両端には複数の脚部６４５がそれぞれ設けられる。各々の脚部６４５は、カバー底部６３８に向って突出する。脚部６４５の先端部は、カバー底部６３８のうち第１面２８と対向する面に当接する。従って、脚部６４５によって、拡散カバー６４０の底部６４１と下面プリズム部３１との距離を調節できる。ここで、底部６４１と下面プリズム部３１との距離は、下面プリズム部３１がプリズムレンズとして機能する程度に調整される。
【００５８】
なお、本実施の形態では、脚部６４５が側部４２から連続するように形成されている。これに限らず、例えば、底部６４１のうち短手方向の両端よりも内側の部分から脚部６４５が突出していても良い。また、脚部６４５の先端には、光が散乱する程度の凹凸が表面に施されることが好ましい。
【００５９】
実施の形態４．
図１５は、実施の形態４に係る光源ユニット７００の断面図である。図１５は、光源ユニット７００の短手方向の断面図である。本実施の形態では、拡散カバー７４０の構造が実施の形態３と異なる。拡散カバー７４０は弧状である。拡散カバー７４０は、基板２２の長手方向から見て全体が湾曲している。拡散カバー７４０は、光源２１と離れる方向に突出している。拡散カバー７４０の曲率はカバー底部６３８の曲率よりも大きい。
【００６０】
拡散カバー７４０の短手方向の両端は固定部７４３となっている。ここで、拡散カバー７４０の短手方向は、基板２２の短手方向と平行である。固定部７４３は、湾曲した状態で、凹部６４４に覆われる。
【００６１】
拡散カバー７４０は、シート状であり、弾性変形が可能なように形成されている。拡散カバー７４０は、カバー６３０に収納されていない状態では、平板状である。拡散カバー７４０は、全体が短手方向に丸まるように湾曲した状態で、カバー６３０の内部に配置される。拡散カバー７４０は、カバー６３０の内部においてカバー底部６３８に向かって張り出す。
【００６２】
これに限らず、拡散カバー７４０は、押出成形などの製造方法によって、予め湾曲した形状に形成されても良い。この場合、拡散カバー７４０は、凸状に張り出した側をカバー底部６３８に向けた状態でカバー６３０の内部に配置される。
【００６３】
本実施の形態では、拡散カバー７４０の構造を簡易化できる。ここで、光源ユニット７００が使用されている状態において、拡散カバー７４０は、張り出した部分がカバー底部６３８に当接した状態でカバー６３０の内部に配置される。このため、拡散カバー７４０のうち、少なくともカバー底部６３８に当接あるいは近接する部分の表面には、光が散乱する程度の凹凸が施されることが好ましい。
【００６４】
実施の形態５．
図１６は、実施の形態５に係る光源ユニット８００の断面図である。図１６は、光源ユニット８００の短手方向の断面図である。本実施の形態では、カバー８３０と拡散カバー８４０の構造が実施の形態３と異なる。拡散カバー８４０は、弧状の湾曲部８４６と、複数の固定部８４３を有する。湾曲部８４６は、基板２２の長手方向から見て全体が湾曲している。湾曲部８４６は光源２１と離れる方向に突出している。湾曲部８４６の曲率はカバー底部６３８の曲率より大きい。
【００６５】
図１７は、実施の形態５に係る凹部８４４の拡大図である。複数の固定部８４３は、湾曲部８４６の両端から拡散カバー８４０の外側に向かってそれぞれ屈曲する。複数の固定部８４３は、湾曲部８４６の両端から水平面に沿った方向に伸びる。各々の固定部８４３は、凹部８４４に囲まれる。
【００６６】
カバー８３０は、複数のカバー固定部８３７を有する。各々のカバー固定部８３７には、カバー８３０の内側に向かって突出した第３凸部８６７が設けられる。第３凸部８６７は、側面プリズム部３２より取り付け部６３３側に形成される。第３凸部８６７は、側面プリズム部３２と隣接して設けられる。第３凸部８６７は、第２凸部６２よりも大きく突出する。
【００６７】
凹部８４４には、取り付け部６３３とカバー固定部８３７とで覆われた捕捉空間が形成される。さらに、カバー固定部８３７には第３凸部８６７が設けられる。このとき、拡散カバー８４０の両端は、捕捉空間に挿入された状態で、取り付け部６３３のうちカバー固定部８３７から下方に分岐した部分と、第３凸部８６７とにそれぞれ挟まれる。これにより、基板２２の短手方向および上下方向における拡散カバー８４０の移動を規制できる。本実施の形態では、第３凸部８６７が設けられることで、実施の形態３、４と比較して拡散カバー８４０の移動をさらに規制できる。
【００６８】
さらに、第３凸部８６７には、固定部８４３が引っかかる。第３凸部８６７は固定部係止凸部である。第３凸部８６７と係合することで、固定部８４３はカバー８３０に保持される。これにより、拡散カバー８４０がカバー底部６３８側へ移動することを規制できる。さらに、拡散カバー８４０はカバー底部６３８から浮いた状態で保持される。このため、拡散カバー８４０の表面に光を散乱させる凹凸を設けなくても良い。
【００６９】
本実施の形態の変形例として、固定部８４３は水平面に沿った方向以外の方向に伸びても良い。固定部８４３は第３凸部８６７に引っかかれば良く、例えば、カバー底部６３８側に傾斜していても良い。また、第３凸部８６７は設けられなくてもよい。この場合、拡散カバー８４０は張り出した部分がカバー底部６３８に当接した状態でカバー８３０の内部に配置される。
【００７０】
また、実施の形態１〜５のカバーは、上述したものに限定されない。以下で、カバーの変形例について説明する。図１８は、実施の形態５の第１の変形例に係るカバー８３０ａの斜視図である。図１８では、取り付け部６３３は省略されている。カバー８３０ａは、光源２１の両側にそれぞれ設けられた複数の側面プリズム部８３２ａを備える。各々の側面プリズム部８３２ａは、カバー８３０ａの外側に向かって突出し第２斜面を提供する複数の第２凸部８６２ａを有する。
【００７１】
このように、第１の変形例ではカバー側部８３９ａの外面側に側面プリズム部８３２ａが形成されている。すなわち、カバー８３０ａにおけるプリズムレンズは、カバー底部６３８の外面側およびカバー側部８３９ａの外面側に設けられている。側面プリズム部８３２ａによって、下面プリズム部３１と同様に光の出射方向を制御できる。従って、グレア光を制御することができる。
【００７２】
図１９は、実施の形態５の第２の変形例に係るカバー８３０ｂの斜視図である。図１９では、取り付け部６３３は省略されている。カバー８３０ｂは、下面プリズム部８３１ｂを備える。下面プリズム部８３１ｂは、カバー８３０ｂの内側に向かって突出し第１斜面を提供する複数の第１凸部８６１ｂを有する。
【００７３】
第２の変形例では、カバー底部８３８ｂの内面側に下面プリズム部８３１ｂが形成されている。すなわち、カバー８３０ｂにおけるプリズムレンズは、カバー底部８３８ｂの内面側およびカバー側部３９の内面側に設けられている。下面プリズム部８３１ｂによって、側面プリズム部３２と同様に光の出射方向をバットウィング制御できる。
【００７４】
また、下面プリズム部８３１ｂは設けられなくても良い。上述したように、側面プリズム部３２によって、光出射面６６と垂直な角度を中心とする遮光角θｅの範囲には光が出射されない。このため、側面プリズム部３２によって、Ａ方向でグレア光を抑制できる。また、側面プリズム部３２からＢ方向側の光は出射されない。従って、側面プリズム部３２によって、照明器具１の短手方向および長手方向においてグレア光を抑制できる。
【００７５】
図２０は、実施の形態５の第３の変形例に係るカバー８３０ｃの斜視図である。図２０では、取り付け部６３３は省略されている。カバー８３０ｃは下面プリズム部８３１ｂと側面プリズム部８３２ａとを有する。本変形例によれば、側面プリズム部８３２ａによって、グレア光を制御することができる。また、下面プリズム部８３１ｂによって、光の出射方向をバットウィング制御できる。
【００７６】
以上、実施の形態および変形例について説明したが、これらの実施の形態あるいは変形例のうち、いくつかを組み合わせて実施しても構わない。或いは、これらの実施の形態のうち、いずれか１つ又はいくつかを部分的に実施しても構わない。また、これらの実施の形態は上述した内容に限定されるものではなく、必要に応じて種々の変更が可能である。
【符号の説明】
【００７７】
１  照明器具、１００、２００、６００、７００、８００  光源ユニット、１０１  器具本体部、１０  ベース、２０  ＬＥＤモジュール、２１  光源、２２  基板、２８  第１面、３０、２３０、６３０、８３０、８３０a、８３０ｂ、８３０ｃ  カバー、３１、２３１、８３１ｂ  下面プリズム部、３２、８３２a  側面プリズム部、３３、６３３  取り付け部、３７、６３７、８３７  カバー固定部、３８、２３８、６３８、６３８ｂ  カバー底部、３９、８３９a  カバー側部、４０、２４０、６４０、７４０、８４０  拡散カバー、４１、６４１  底部、４２  側部、４３、６４３、７４３、８４３  固定部、６４４、８４４  凹部、２４５、６４５  脚部、８４６  湾曲部、５０、５３  入射光、５１、５４  反射光、５５、５７、５８  出射光、６１、８６１ｂ  第１凸部、６２、８６２a  第２凸部、６３  第１斜面、６４  第２斜面、６５  光入射面、６６  光出射面、８６７  第３凸部、９１  バネ、９２  引っかけ部、θ１ａ、θ１ｂ、θ２ａ、θ２ｂ  角度、θａ  全反射角、θｂ、θｃ、θｄ、θｅ  遮光角
【図１】
2018147876.tif 000003
【図２】
2018147876.tif 000004
【図３】
2018147876.tif 000005
【図４】
2018147876.tif 000006
【図５】
2018147876.tif 000007
【図６】
2018147876.tif 000008
【図７】
2018147876.tif 000009
【図８】
2018147876.tif 000010
【図９】
2018147876.tif 000011
【図１０】
2018147876.tif 000012
【図１１】
2018147876.tif 000013
【図１２】
2018147876.tif 000014
【図１３】
2018147876.tif 000015
【図１４】
2018147876.tif 000016
【図１５】
2018147876.tif 000017
【図１６】
2018147876.tif 000018
【図１７】
2018147876.tif 000019
【図１８】
2018147876.tif 000020
【図１９】
2018147876.tif 000021
【図２０】
2018147876.tif 000022